(57)【要約】  本発明は、伸縮可能イヤホン内蔵の端末機器を提供し、該伸縮可能イヤホン内蔵の端末機器は端末機器のハウジング（１）とイヤホンとイヤホン線巻き込み装置（４）とを含み、前記端末機器のハウジング（１）は収容空間を有し、前記イヤホンは前記収容空間内に収容されイヤホンアセンブリ（２）とイヤホン線（３）とを有し、前記イヤホンアセンブリ（２）と前記イヤホン線（３）とは前記収容空間内から引き出し可能であり、前記イヤホン線巻き込み装置（４）は前記収容空間内に設置され、前記イヤホンアセンブリ（２）は前記イヤホン線（３）を介してイヤホン線巻き込み装置（４）と接続され、前記イヤホン線巻き込み装置（４）から引き出される信号線が前記端末機器の音声信号と連通し、前記イヤホンアセンブリ（２）と前記イヤホン線（３）とが前記イヤホン線巻き込み装置（４）によって前記収容空間の外部から回収可能である。これにより、端末機器の電磁波による人体への危害を効果的に低減し、ユーザの使用を便利にすることができる。
2014517623.tif 000002
【特許請求の範囲】
【請求項１】
伸縮可能イヤホン内蔵の端末機器であって、
前記伸縮可能イヤホン内蔵の端末機器は端末機器のハウジング（１）とイヤホンとイヤホン線巻き込み装置（４）とを含み、
前記端末機器のハウジング（１）は、収容空間を有し、
前記イヤホンは、前記収容空間内に収容され、イヤホンアセンブリ（２）とイヤホン線（３）とを有し、
前記イヤホンアセンブリ（２）と前記イヤホン線（３）とは、前記収容空間内から引き出し可能であり、
前記イヤホン線巻き込み装置（４）は、前記収容空間内に設置され、
前記イヤホンアセンブリ（２）は前記イヤホン線（３）を介してイヤホン線巻き込み装置（４）に接続され、
前記イヤホン線巻き込み装置（４）から引き出される信号線が、前記端末機器の音声信号に連通され、
前記イヤホンアセンブリ（２）と前記イヤホン線（３）とが、前記イヤホン線巻き込み装置（４）によって前記収容空間の外部から回収可能であることを特徴とする伸縮可能イヤホン内蔵の端末機器。
【請求項２】
前記イヤホンアセンブリ（２）は親イヤホンアセンブリ（２１）と子イヤホンアセンブリ（２２）とイヤホンロッド（２３）とを含み、前記子イヤホンアセンブリ（２２）が着脱可能に前記イヤホンロッド（２３）に設置され、
前記イヤホン線（３）は親子ダブルイヤホン線（３１）とシングルイヤホン線（３２）とを含み、親子ダブルイヤホン線（３１）は親イヤホン線（３１１）と子イヤホン線（３１２）とを含み、前記親イヤホン線（３１１）は前記親イヤホンアセンブリ（２１）と接続され、前記子イヤホン線（３１２）は前記子イヤホンアセンブリ（２２）と接続されることを特徴とする請求項１に記載の伸縮可能イヤホン内蔵の端末機器。
【請求項３】
前記イヤホンロッド（２３）には、前記子イヤホン線（３１２）を巻き取るための巻線溝が設けられていることを特徴とする請求項２に記載の伸縮可能イヤホン内蔵の端末機器。
【請求項４】
前記親子ダブルイヤホン線（３１）は、アダプター（５）を介して前記シングルイヤホン線（３２）に変換され、前記アダプター（５）には送話器（６）が設置されていることを特徴とする請求項２に記載の伸縮可能イヤホン内蔵の端末機器。
【請求項５】
前記シングルイヤホン線（３２）は、前記イヤホン線巻き込み装置（４）のリールに巻き取られることを特徴とする請求項２に記載の伸縮可能イヤホン内蔵の端末機器。
【請求項６】
前記イヤホン線巻き込み装置（４）にはマイクロモータにより駆動力が提供され、前記マイクロモータは導線を介して端末機器の電池モジュールに接続されることを特徴とする請求項１に記載の伸縮可能イヤホン内蔵の端末機器。
【請求項７】
前記イヤホン線巻き込み装置（４）には、バネにより駆動力が提供されることを特徴とする請求項１に記載の伸縮可能イヤホン内蔵の端末機器。
【請求項８】
前記端末機器は、携帯電話、タブレットパソコン、ノードパソコン、デスクトップパソコン、テレビ、ハンドヘルドコンピュータ、電話機、個人用視聴覚機器、デジタルプレーヤー、ナビゲーション装置、ゲーム機のうちのいずれか一つであることを特徴とする請求項１に記載の伸縮可能イヤホン内蔵の端末機器。
【発明の詳細な説明】
【技術分野】
【０００１】
本発明は、端末機器に関し、特に伸縮可能なイヤホンを内蔵した端末機器に関する。
【背景技術】
【０００２】
電子製品、特に携帯電話、ノートパソコン、補聴機能付き移動端末の応用がますます普及することにつれて、上記端末製品の従来のイヤホンは、使用時に絡んだり、結び目ができたりしまうことがよくあり、携帯と保存が不便であり、多数の使用者に多くの不便をもたらし、その結果、多数の使用者がイヤホンという重要な機能の使用を諦めることになっている。
【０００３】
また、電子製品を直接に使用するとき、電子製品（携帯電話など）から生じる電磁放射による使用者への健康と安全上の大きな潜在的危険を回避できない。例えば、携帯電話を直接に耳に当て、そのスピーカを利用して通話するときに、携帯電話による電磁放射が直接に人体の大脳の中枢神経に危害を与えることになる。実験と研究から、携帯電話が人体の大脳から一定距離を維持すると、電磁放射による危害を効果的に低減できることがわかった。たとえば、携帯電話の内蔵スピーカの代わりに、携帯電話のイヤホンを利用して音声情報を聞き取ることによって、携帯電話の電磁波による人体の大脳への影響を９０％以上低減することができる。
【発明の概要】
【発明が解決しようとする課題】
【０００４】
上記の技術課題を解決するために、本発明は、伸縮可能イヤホン内蔵の端末機器を提供して、端末機器の電磁波による危害を効果的に低減し、ユーザの使用を便利にすることを目的としている。
【課題を解決するための手段】
【０００５】
上記目的を達成するために、本発明は伸縮可能イヤホン内蔵の端末機器を提供し、該伸縮可能イヤホン内蔵の端末機器は端末機器のハウジングとイヤホンとイヤホン線巻き込み装置とを含み、前記端末機器のハウジングは、収容空間を有し、前記イヤホンは、前記収容空間内に収容され、イヤホンアセンブリとイヤホン線とを有し、前記イヤホンアセンブリと前記イヤホン線とは、前記収容空間内から引き出し可能であり、前記イヤホン線巻き込み装置は、前記収容空間内に設置され、前記イヤホンアセンブリは前記イヤホン線を介してイヤホン線巻き込み装置に連通され、前記イヤホン線巻き込み装置から引き出される信号線が、前記端末機器の音声信号に連通され、前記イヤホンアセンブリと前記イヤホン線とが、前記イヤホン線巻き込み装置によって前記収容空間の外部から回収可能である。
【０００６】
好ましくは、前記イヤホンアセンブリは親イヤホンアセンブリと子イヤホンアセンブリとイヤホンロッドとを含み、前記子イヤホンアセンブリが着脱可能に前記イヤホンロッドに装着され、前記イヤホン線は親子ダブルイヤホン線とシングルイヤホン線とを含み、親子ダブルイヤホン線は親イヤホン線と子イヤホン線とを含み、前記親イヤホン線は前記親イヤホンアセンブリと接続され、前記子イヤホン線は前記子イヤホンアセンブリと接続される。
【０００７】
好ましくは、前記イヤホンロッドには、前記子イヤホン線を巻き取るための巻線溝が設けられている。
【０００８】
好ましくは、前記親子ダブルイヤホン線は、アダプターを介して前記シングルイヤホン線に変換され、前記アダプターには送話器が設置されている。
【０００９】
好ましくは、前記シングルイヤホン線は、前記イヤホン線巻き込み装置のリールに巻き取られる。
【００１０】
好ましくは、前記イヤホン線巻き込み装置にはマイクロモータにより駆動力が提供され、前記マイクロモータは導線を介して端末機器の電池モジュールに接続される。
【００１１】
好ましくは、前記イヤホン線巻き込み装置には、バネにより駆動力が提供される。
【００１２】
好ましくは、前記端末機器は、携帯電話、タブレット型パソコン、ノード型パソコン、デスクトップ型パソコン、テレビ、ハンドヘルドコンピュータ、電話機、個人用視聴覚機器、デジタルプレーヤー、ナビゲーション装置、ゲーム機のうちのいずれか一つである。
【００１３】
上記技術案から、本発明の実施例によって下記の有益効果を有することが分かる。該伸縮可能イヤホン内蔵構造によって端末機器のイヤホン資源の浪費問題を徹底的に解決でき、端末機器を使用する（例えば電話する）際に、端末機器を頭部まで挙げる必要がなく、内蔵する伸縮可能なイヤホンアセンブリとイヤホン線を端末機器のハウジングから直接的に引き出し、通話終了後、イヤホンアセンブリとイヤホン線が端末機器のハウジング内に自動的に回収できる。このように、頭部が端末機器の電磁放射から遠く離れるだけではなく、両手も解放されることとなり、より映像通話など端末機器の使用に有利である。
【図面の簡単な説明】
【００１４】
【図１】本発明の実施例における伸縮可能イヤホン内蔵の端末機器の構造概略図である。
【図２】本発明の実施例におけるイヤホンアセンブリの構造概略図である。
【発明を実施するための最良の形態】
【００１５】
本発明の目的、技術案及びメリットをより明確かつ明瞭にするために、以下、実施例と図面を参照して、本発明の実施例を更に詳しく説明する。ここで、本発明の例示的な実施例及び説明は、本発明を解釈するためのものであり、本発明を限定するものではない。
【００１６】
本実施例では、該端末機器は、携帯電話、タブレットパソコン、ノートパソコン、デスクトップパソコン、テレビ、ハンドヘルドコンピュータ、電話機、個人用視聴覚機器、デジタルプレーヤー、ナビゲーション装置、ゲーム機のうちのいずれか一つである。
【００１７】
以下、単に該端末機器が携帯電話である例を紹介する。その他のタイプの端末機器の構造は、これに類似するものであり、ここで繰り返し説明しない。
【００１８】
図１は、本発明の実施例における伸縮可能イヤホン内蔵の端末機器の構造概略図である。
【００１９】
該伸縮可能イヤホン内蔵の端末機器は、
収容空間を有する端末機器のハウジング１と、
前記収容空間内に設置され、前記収容空間内から引き出し可能なイヤホンアセンブリ２とイヤホン線３とを有するイヤホンと、
前記収容空間内に収容され、前記イヤホン線３を介して前記イヤホンアセンブリ２と連通するイヤホン線巻き込み装置４と、を含み、
前記イヤホン線巻き込み装置４から引き出される信号線が前記端末機器の音声信号と連通し、前記イヤホンアセンブリ２と前記イヤホン線と３が前記イヤホン線巻き込み装置４によって前記収容空間外から回収可能である。
【００２０】
すなわち、電話に出るまたは電話を掛けるとき、内蔵されたイヤホンアセンブリ２とイヤホン線３とを端末機器のハウジング１から直接的に引き出せばよく、通話終了後、イヤホンアセンブリ２とイヤホン線３とがイヤホン線巻き込み装置４によって端末機器のハウジング内１に自動的に回収できる。
【００２１】
本実施例では、該収納空間に送話器、受話器、カメラモジュール、端末機器の処理チップなど、端末機器のほかの構成も収納されている。
【００２２】
該端末機器のハウジング１の形状は、具体的な状況に応じて調整可能である。本実施例では、該端末機器のハウジング１の形状を限定しない。
【００２３】
本実施例では、収容空間における該イヤホンの設置位置は、具体的な状況に応じて調整可能であり、例えば、収容空間の左上部に設置することができる（図１に示す）。もちろん、本実施例では、収容空間における該イヤホンの具体的な位置を限定しない。
【００２４】
図２は、本発明の実施例におけるイヤホンアセンブリの構造概略図である。該イヤホンアセンブリ２は、親イヤホンアセンブリ２１と、子イヤホンアセンブリ２２と、イヤホンロッド２３と、を含み、前記子イヤホンアセンブリ２２が着脱可能にイヤホンロッド２３に設置されている。使用必要時に、子イヤホンアセンブリ２２をイヤホンロッド２３から取り外すことができる。使用終了後、子イヤホンアセンブリ２２をイヤホンロッド２３に係合させる。
【００２５】
例えば、イヤホンロッド２３には収納部が設置されている。子イヤホンアセンブリ２２は、その上の接続部と収納部とによって、前記子イヤホンアセンブリ２２の着脱可能な接続を実現する。
【００２６】
２チャンネル、ステレオが必要でないとき、親イヤホンアセンブリ２１のみを使用すればよい。２チャンネル、ステレオが必要のとき、親イヤホンアセンブリ２１と子イヤホンアセンブリ２２とをそれぞれ使用者の左右の耳に付けて音声を聞くことで、使用者に２チャンネル、ステレオ効果を提供できる。
【００２７】
また、操作を便利にするために、前記イヤホンには線巻き込みスイッチ（図示せず）が更に設置されている。前記線巻き込みスイッチは、前記イヤホン線３内に設置されている信号線を介してイヤホン線巻き込み装置４における駆動装置（例えばマイクロモータ）の電源のオン／オフを制御し、それによってイヤホン線３の線巻き込み操作を柔軟に制御できる。
【００２８】
図１と図２から分かるように、前記イヤホン線３は、親子ダブルイヤホン線３１と、シングルイヤホン線３２とを含む。親子ダブルイヤホン線３１は、親イヤホン線３１１と子イヤホン線３１２とを含む。前記親イヤホン線３１１は、前記親イヤホンアセンブリ２１に接続されている。前記子イヤホン線３１２は、前記子イヤホンアセンブリ２２に接続されている。
【００２９】
本実施例では、前記イヤホンロッド２３には、前記子イヤホン線３１２を巻き付けるための巻線溝（図示せず）が設けられている。
【００３０】
引き続き図１を参照する。前記親子ダブルイヤホン線３１は、アダプター５を介して前記シングルイヤホン線３２に変換される。前記アダプター５に送話器６が設置されている。
【００３１】
本実施例では、前記シングルイヤホン線３２は、前記イヤホン線巻き込み装置４のリール（図示せず）に巻き取られる。
【００３２】
本実施例では、前記イヤホン線巻き込み装置４は、マイクロモータから駆動力を提供される。マイクロモータによってイヤホン線巻き込み装置４内のリールを回転させて、シングルイヤホン線３２の巻き込みを実現する。
【００３３】
本実施例では、イヤホン線巻き込み装置４のマイクロモータは、導線を介して端末機器の電池モジュールに接続する。端末機器の電池モジュールからマイクロモータに給電する。もちろん該イヤホン線巻き込み装置４自身が電源を具備してもよい。本実施例では、イヤホン線巻き込み装置４の具体的な構造を限定しない。
【００３４】
もちろん、本実施例では、イヤホン線巻き込み装置４の駆動力を限定しない。マイクロモータから駆動力を提供されてもよいし、バネから駆動力を提供されてもよい。本実施例では、これについて限定しない。
【００３５】
前記技術案から、本発明の実施例によって下記の有益効果を有することが分かる。該伸縮可能イヤホン内蔵構造によって端末機器のイヤホン資源の浪費問題を徹底的に解決でき、端末機器を使用する（例えば電話する）際に、端末機器を頭部まで挙げる必要がなく、内蔵された伸縮可能なイヤホンを端末機器のハウジングから直接的に引き出すことができ、端末機器の電磁放射による危害を効果的に低減する。
【００３６】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲に属するものである。
【符号の説明】
【００３７】
１  ・・・ハウジング
２  ・・・イヤホンアセンブリ
３  ・・・イヤホン線
４  ・・・イヤホン線巻き込み装置
５  ・・・アダプター
６  ・・・送話器
２１  ・・・親イヤホンアセンブリ
２２  ・・・子イヤホンアセンブリ
２３  ・・・イヤホンロッド
３１  ・・・親子ダブルイヤホン線
３２  ・・・シングルイヤホン線
３１１  ・・・親イヤホン線
３１２  ・・・子イヤホン線
【図１】
2014517623.tif 000003
【図２】
2014517623.tif 000004
【国際調査報告】
2014517623.tif 000005
2014517623.tif 000006
2014517623.tif 000007
2014517623.tif 000008
2014517623.tif 000009
2014517623.tif 000010
2014517623.tif 000011
2014517623.tif 000012